(57)【要約】【課題】前面板を取り付ける際の作業効率を向上できるケーシングを提供する。【解決手段】ケーシングであって、フレームユニットと、フレームユニットの前面に固定される第１受具と、第１受具の下方に設けられる第２受具であって、前面に固定される固定部と、固定部の上部から前方に離間した上段係止部と、固定部と上段係止部とを連結する連結部と、固定部の下部から前方に離間した下段係止部と、固定部と下段係止部とを連結する支持部と、を有する第２受具と、第１受具と第２受具の上段係止部とに係止される第１前面板と、第２受具の下段係止部に係止され、背面に支持部と連結部との間に位置するねじ受部が設けられる第２前面板と、ねじ受部に設けられた孔に挿通されて支持部と接触し、フレームユニットに対する第２前面板の位置を調整可能なねじと、を備え、連結部は、間隙を有する。【選択図】図１
2019015021.tif 000002
【特許請求の範囲】
【請求項１】
フレームユニットと、
前記フレームユニットの前面に固定される第１受具と、
前記第１受具の下方に設けられる第２受具であって、
前記前面に固定される固定部と、
前記固定部の上部から前方に離間した上段係止部と、
前記固定部と前記上段係止部とを連結する連結部と、
前記固定部の下部から前方に離間した下段係止部と、
前記固定部と前記下段係止部とを連結する支持部と、
を有する前記第２受具と、
前記第１受具と前記第２受具の前記上段係止部とに係止される第１前面板と、
前記第２受具の前記下段係止部に係止され、背面に前記支持部と前記連結部との間に位置するねじ受部が設けられる第２前面板と、
前記ねじ受部に設けられた孔に挿通されて前記支持部と接触し、前記フレームユニットに対する前記第２前面板の位置を調整可能なねじと、
を備え、
前記連結部は、間隙を有するケーシング。
【請求項２】
前記間隙は、前記連結部に設けられた開口であり、
前記開口は、前記上段係止部の一部と前記固定部の一部との間に位置し、
前記連結部は、前記上段係止部の他の一部と前記固定部の他の一部とを連結する請求項１記載のケーシング。
【請求項３】
前記フレームユニットは、衛生器具を固定する固定具をさらに有し、
前記第１前面板の背面は、前記第１受具および前記第２受具に接触し、
前記固定具の前端は、前記前面の前記第１受具が固定された部分および前記第２受具が固定された部分よりも前方に突出する請求項１または２に記載のケーシング。
【請求項４】
前記固定具の前記前端は、前記第１受具よりも下方に位置し、前記第２受具よりも上方に位置する請求項３記載のケーシング。
【請求項５】
前記第１受具および前記第２受具は、左右方向において複数設けられ、
前記固定具の前記前端は、前記複数の第１受具の１つおよび前記複数の第２受具の１つよりも右側方に位置し、前記複数の第１受具の他の１つおよび前記複数の第２受具の他の１つよりも左側方に位置する請求項３または４に記載のケーシング。
【請求項６】
前記フレームユニットは、
側方に設けられ、鉛直方向に延びる縦バーと、
前記縦バーの前面に設けられ、前記第１前面板および前記第２前面板よりも後方に位置する被覆部材と、
をさらに有し、
前記被覆部材の少なくとも一部は、前記縦バーよりも前記側方に位置し、
前記縦バーの前記上端には、第１孔が設けられ、
前記第１孔の左右方向における寸法は、前記第１孔の上下方向における寸法よりも長く、
前記縦バーは、前記第１孔を通して締結されて固定される請求項１〜５のいずれか１つに記載のケーシング。
【発明の詳細な説明】
【技術分野】
【０００１】
本発明の態様は、一般的に、ケーシングに関する。
【背景技術】
【０００２】
トイレブースやトイレ室には、水周り機器に接続された配管等を収容するケーシングが設けられる（例えば特許文献１）。このケーシングは、複数のフレームを含むフレームユニットと、このフレームユニットに取り付けられた前面板と、を備える。
【先行技術文献】
【特許文献】
【０００３】
【特許文献１】特開平８−６８０８３号公報
【発明の概要】
【発明が解決しようとする課題】
【０００４】
ケーシングの前面板は、運搬等を容易とするために複数に分割される。ケーシングの組み立て時には、上下方向に複数の前面板が取り付けられる。このようなケーシングについて、前面板の取り付け時の作業効率を向上できる構成であることが望ましい。  
本発明は、かかる課題の認識に基づいてなされたものであり、前面板を取り付ける際の作業効率を向上できるケーシングを提供することを目的とする。
【課題を解決するための手段】
【０００５】
第１の発明は、フレームユニットと、前記フレームユニットの前面に固定される第１受具と、前記第１受具の下方に設けられる第２受具であって、前記前面に固定される固定部と、前記固定部の上部から前方に離間した上段係止部と、前記固定部と前記上段係止部とを連結する連結部と、前記固定部の下部から前方に離間した下段係止部と、前記固定部と前記下段係止部とを連結する支持部と、を有する前記第２受具と、前記第１受具と前記第２受具の前記上段係止部とに係止される第１前面板と、前記第２受具の前記下段係止部に係止され、背面に前記支持部と前記連結部との間に位置するねじ受部が設けられる第２前面板と、前記ねじ受部に設けられた孔に挿通されて前記支持部と接触し、前記フレームユニットに対する前記第２前面板の位置を調整可能なねじと、を備え、前記連結部は、間隙を有するケーシングである。
【０００６】
このケーシングによれば、第２前面板を下段係止部に係止させた後でも、ねじの上方から間隙を通してドライバーを差し込み、第２前面板の高さ調整を行うことが可能となる。このため、第２前面板の高さ調整の作業効率を向上させることが可能である。
【０００７】
第２の発明は、第１の発明において、前記間隙は、前記連結部に設けられた開口であり、前記開口は、前記上段係止部の一部と前記固定部の一部との間に位置し、前記連結部は、前記上段係止部の他の一部と前記固定部の他の一部とを連結するケーシングである。
【０００８】
このケーシングによれば、上段係止部の当該一部に第１前面板を係止することができる。このため、第１前面板の上段係止部と係止された部分と、ねじ受部と、第２前面板の下段係止部と係止された部分と、を上下方向に並べて設けることが可能となり、第１前面板および第２前面板の左右方向の位置合わせが容易となる。
【０００９】
第３の発明は、第１または第２の発明において、前記フレームユニットは、衛生器具を固定する固定具をさらに有し、前記第１前面板の背面は、前記第１受具および前記第２受具に接触し、前記固定具の前端は、前記前面の前記第１受具が固定された部分および前記第２受具が固定された部分も前方に突出するケーシングである。
【００１０】
このケーシングによれば、第１前面板に前方から荷重が加えられた場合でも、より多くの箇所で第１前面板を後方から支持することができ、第１前面板の撓みを抑制することができる。
【００１１】
第４の発明は、第３の発明において、前記固定具の前記前端は、前記第１受具よりも下方に位置し、前記第２受具よりも上方に位置するケーシングである。
【００１２】
このケーシングによれば、後方に向けて第１前面板に加えられる荷重を、第１受具、固定具の前端、および第２受具によって上下方向に分散させて支持することができ、第１前面板の撓みを抑制することができる。
【００１３】
第５の発明は、第３または第４の発明において、前記第１受具および前記第２受具は、左右方向において複数設けられ、前記固定具の前記前端は、前記複数の第１受具の１つおよび前記複数の第２受具の１つよりも右側方に位置し、前記複数の第１受具の他の１つおよび前記複数の第２受具の他の１つよりも左側方に位置するケーシングである。
【００１４】
このケーシングによれば、後方に向けて第１前面板に加えられる荷重を、複数の第１受具、固定具の前端、および複数の第２受具によって左右方向に分散させて支持することができ、第１前面板の撓みを抑制することができる。
【００１５】
第６の発明は、第１〜第５のいずれか１つの発明において、前記フレームユニットは、側方に設けられ、鉛直方向に延びる縦バーと、前記縦バーの前面に設けられ、前記第１前面板および前記第２前面板よりも後方に位置する第１被覆部材と、をさらに有し、前記第１被覆部材の少なくとも一部は、前記縦バーよりも前記側方に位置し、前記縦バーの前記上端には、第１孔が設けられ、前記第１孔の左右方向における寸法は、前記第１孔の上下方向における寸法よりも長く、前記縦バーは、前記第１孔を通して締結されて固定されるケーシングである。
【００１６】
このケーシングによれば、第１前面板および第２前面板と、ケーシングの側方に位置する壁面と、の隙間を、第１被覆部材によって後方から被覆することができる。また、横長の第１孔を用いることでフレームユニットにおける縦バーの左右方向における位置を調整することができ、隙間をより確実に被覆することができる。このため、隙間に埃や汚れが溜まることを抑制し、ケーシングの清掃性を向上させることができる。
【発明の効果】
【００１７】
本発明の態様によれば、前面板を取り付ける際の作業効率を向上できるケーシングを提供することができる。
【図面の簡単な説明】
【００１８】
【図１】実施形態に係るケーシングのフレームユニットを表す斜視図である。
【図２】実施形態に係るケーシングを表す斜視図である。
【図３】実施形態に係るケーシングとトイレ装置を表す側面図である。
【図４】実施形態に係るケーシングの一部を表す斜視図である。
【図５】実施形態に係るケーシングの一部を表す断面図である。
【図６】実施形態に係るケーシングの一部を表す側面図である。
【図７】実施形態に係るケーシングの一部を表す正面図である。
【図８】実施形態に係るケーシングの一部を表す斜視図である。
【図９】実施形態に係るケーシングの一部を表す斜視図である。
【図１０】実施形態に係るケーシングの一部の他の構成を表す斜視図である。
【図１１】実施形態に係る他のケーシングを表す斜視図である。
【発明を実施するための形態】
【００１９】
以下、本発明の実施形態について図面を参照しつつ説明する。なお、各図面中、同様の構成要素には同一の符号を付して詳細な説明は適宜省略する。  
【００２０】
図１は、実施形態に係るケーシングのフレームユニットを表す斜視図である。
図２は、実施形態に係るケーシングを表す斜視図である。
【００２１】
実施形態に係るケーシング１は、図１に表したフレームユニット１００を備える。また、図２および図３に表したように、実施形態に係るケーシング１は、上受具１５０（第１受具）、中受具１６０（第２受具）、下受具１７０（第３受具）、上前面板２００（第１前面板）、下前面板２４０（第２前面板）、および甲板２８０をさらに備える。
【００２２】
本願明細書においては、図１および図２に表したように、フレームユニット１００に対して、上前面板２００および下前面板２４０が配される方向を、前方ＦＷとする。前方ＦＷと反対の方向を、後方ＢＷとする。前後方向に対して垂直であり、鉛直方向に沿う方向を、上方ＵＷおよび下方ＤＷとする。前後方向および上下方向に対して垂直な方向を、左側方ＬＷおよび右側方ＲＷとする。
【００２３】
図１に表したように、フレームユニット１００は、左縦フレーム１０１、右縦フレーム１０３、左縦バー１０５、右縦バー１０７、連結フレーム１０９、上横フレーム１１１、下横フレーム１１３、背面フレーム１１５、支持フレーム１１７、固定具１１９、ブラケット１２１、および固定フレーム１２５を有する。
【００２４】
左縦フレーム１０１、右縦フレーム１０３、左縦バー１０５、および右縦バー１０７は、鉛直方向に沿って設けられ、左右方向に並べられる。左縦バー１０５は、左縦フレーム１０１の左側方に位置し、右縦バー１０７は、右縦フレーム１０３の右側方に位置する。
【００２５】
連結フレーム１０９は、左右方向に沿って設けられ、左縦フレーム１０１、右縦フレーム１０３、左縦バー１０５、および右縦バー１０７のそれぞれの上端と固定される。
【００２６】
上横フレーム１１１および下横フレーム１１３は、左右方向に沿って設けられる。上横フレーム１１１は、連結フレーム１０９の下方に位置する。下横フレーム１１３は、上横フレーム１１１の下方に位置する。上横フレーム１１１および下横フレーム１１３は、連結フレーム１０９よりも短く、左縦フレーム１０１および右縦フレーム１０３と固定される。
【００２７】
背面フレーム１１５は、連結フレーム１０９の後方に設けられ、フレームユニット１００後方の壁面に固定される。支持フレーム１１７は、前後方向に沿って設けられ、連結フレーム１０９および背面フレーム１１５と固定される。
【００２８】
固定具１１９は、上横フレーム１１１および背面フレーム１１５と固定される。固定具１１９は、後述するように、便器の洗浄時に機能する衛生器具を固定する。ブラケット１２１は、例えば、左縦フレーム１０１に複数取り付けられ、後方に向けて延びる。ブラケット１２１には、例えば、不図示の吊紐が取り付けられる。この吊紐には、ケーシング１前方の設備に接続される配管や衛生器具に接続される配管が掛けられる。
【００２９】
固定フレーム１２５は、床面に固定される。下横フレーム１１３および下受具１７０は、固定フレーム１２５と固定される。左縦フレーム１０１の下部および右縦フレーム１０３の下部は、下横フレーム１１３および下受具１７０を介して、固定フレーム１２５と固定される。左縦バー１０５および右縦バー１０７は、下受具１７０を介して固定フレーム１２５と固定される。
【００３０】
上受具１５０は、左右方向において複数設けられる。複数の上受具１５０は、それぞれ、左縦フレーム１０１の上部前面および右縦フレーム１０３の上部前面に固定される。複数の上受具１５０は、同じ高さに設けられる。
【００３１】
中受具１６０は、上受具１５０の下方において、左右方向に複数設けられる。複数の中受具１６０は、それぞれ、左縦フレーム１０１の前面および右縦フレーム１０３の前面に固定される。複数の中受具１６０は、同じ高さに設けられる。
【００３２】
下受具１７０は、中受具１６０の下方において、左縦フレーム１０１の前面および右縦フレーム１０３の前面に固定される。
【００３３】
上前面板２００および下前面板２４０は、フレームユニット１００の前面に固定されるこれらの受具によって、フレームユニット１００の前方に係止される。具体的には、上前面板２００は、上受具１５０および中受具１６０によって係止される。下前面板２４０は、上前面板２００の下方において、中受具１６０および下受具１７０によって係止される。甲板２８０は、連結フレーム１０９、背面フレーム１１５、支持フレーム１１７の上に載置される。
【００３４】
なお、上述した各種フレームの一部は、一体に構成されていても良い。例えば、左縦フレーム１０１と支持フレーム１１７が一体に構成され、右縦フレーム１０３と支持フレーム１１７が一体に構成されていても良い。
各種フレームの一部は、各種受具の一部と一体に構成されていても良い。例えば、連結フレーム１０９は、複数の上受具１５０と一体に構成されていても良い。
また、上述した各種フレームは、直接的に固定されるだけでなく、他の部材を介して互いに固定されていても良い。例えば、連結フレーム１０９は、他の剛性を有する部材を介して、左縦バー１０５、右縦バー１０７、および支持フレーム１１７と固定される。
【００３５】
図３は、実施形態に係るケーシングとトイレ装置を表す側面図である。
なお、図３において、実施形態に係るケーシングについては、その断面構造が表されている。
【００３６】
図３に表したように、上前面板２００および下前面板２４０の前方には、例えば、洋式の腰掛便器（以下、便器という）を備えたトイレ装置３００や、背もたれ３１０などが設けられる。また、上前面板２００の前面には、トイレ装置３００の便器３０１を洗浄するための洗浄スイッチや、非常時に使用される呼び出しボタンなどが設けられても良い。
【００３７】
ケーシング１の内側には、トイレ装置３００と接続される各種配管Ｐが設けられる。これらの配管Ｐは、例えば、ブラケット１２１に掛けられた吊紐１２３によって支持される。ケーシング１の内側には、さらに、便器３０１の洗浄時に機能する衛生器具３２０が設けられる。この衛生器具３２０は、固定具１１９に固定される。
【００３８】
図３に表した例では、衛生器具３２０としてのフラッシュバルブが固定具１１９によって固定されている。フラッシュバルブに代えて、衛生器具３２０として、ロータンクが設けられても良い。これらの器具は、便器３０１の洗浄時に、便器３０１に洗浄水を供給する機能を有する。
【００３９】
なお、トイレ装置３００の具体的な構成は、任意である。例えば、図３に表したトイレ装置３００の背面は、固定フレーム１２５と固定されており、トイレ装置３００は、床面から離間している。この例に限らず、トイレ装置３００は、床面に設置されていても良い。トイレ装置３００が床面に設置される場合、固定フレーム１２５が設けられていなくても良い。この場合、例えば、左縦フレーム１０１の下端および右縦フレーム１０３の下端が、床面に固定される。
【００４０】
図４は、実施形態に係るケーシングの一部を表す斜視図である。
図５は、実施形態に係るケーシングの一部を表す断面図である。
図４および図５を参照し、実施形態に係るケーシングが備える各受具、上前面板２００、および下前面板２４０の構造について具体的に説明する。
【００４１】
左縦フレーム１０１および右縦フレーム１０３の構造は、実質的に同じである。下前面板２４０は、左右方向において２点で下受具１７０に係止されるが、これらの係止された部分の構造は、実質的に同じである。
このため、図５（ａ）および図５（ｂ）では、それぞれ、左縦フレーム１０１に固定された上受具１５０および中受具１６０を例示している。図５（ｃ）では、下受具１７０の左縦フレーム１０１に固定された部分を例示している。
【００４２】
図４および図５（ａ）に表したように、上受具１５０は、固定部１５１（第１固定部）および係止部１５２（第１係止部）を有する。固定部１５１は、左縦フレーム１０１の前面に接触して固定される。係止部１５２は、固定部１５１よりも前方に位置し、鉛直方向に沿って設けられる。係止部１５２は、固定部１５１の下部と連結されている。
【００４３】
図４および図５（ｂ）に表したように、中受具１６０は、固定部１６１、上段係止部１６２、連結部１６３、下段係止部１６４、および支持部１６５を有する。固定部１６１は、左縦フレーム１０１の前面に接触して固定される。上段係止部１６２および下段係止部１６４は、固定部１６１よりも前方に位置し、鉛直方向に沿って設けられる。下段係止部１６４は、上段係止部１６２の下方に位置する。連結部１６３は、水平方向に沿って設けられ、固定部１６１の上部と上段係止部１６２の下部とを連結している。支持部１６５は、水平方向に沿って設けられ、固定部１６１の下部と下段係止部１６４の下部とを連結している。
【００４４】
図４および図５（ｃ）に表したように、下受具１７０は、固定部１７１（第２固定部）、左係止部１７２（第２係止部の一例）、および右係止部１７３（第２係止部の他の一例）を有する。固定部１７１の左側は、左縦フレーム１０１の前面に固定され、固定部１７１の右側は、右縦フレーム１０３の前面に固定される。左係止部１７２および右係止部１７３は、固定部１７１よりも前方に位置し、鉛直方向に沿って設けられる。左係止部１７２および右係止部１７３は、それぞれ、固定部１７１の左側上部および右側上部に連結されている。
【００４５】
上前面板２００の背面には、上段留め具２１０（第１留め具）および下段留め具２２０（第２留め具）が設けられる。下段留め具２２０は、上段留め具２１０よりも下方に位置する。上段留め具２１０および下段留め具２２０は、左右方向において複数設けられ、これらの留め具は、それぞれ、上前面板２００の四隅付近に固定される。
【００４６】
上段留め具２１０および下段留め具２２０は、下方に向けて屈曲した鉤を有する。この鉤により、上段留め具２１０は、上受具１５０の係止部１５２に引っ掛けられ、下段留め具２２０は、中受具１６０の上段係止部１６２に引っ掛けられる。また、これらの鉤は弾性を有し、上段留め具２１０および下段留め具２２０は、それぞれ、係止部１５２および上段係止部１６２を前後方向から挟み込む。これにより、上前面板２００が、各受具を介してフレームユニット１００に係止され、上前面板２００の前後方向における変位が抑制される。
【００４７】
下前面板２４０の背面には、上段留め具２５０（第３留め具）および下段留め具２６０（第４留め具）が設けられる。下段留め具２６０は、上段留め具２５０よりも下方に位置する。上段留め具２５０および下段留め具２６０は、左右方向において複数設けられ、これらの留め具は、それぞれ、下前面板２４０の四隅付近に固定される。
【００４８】
上段留め具２５０および下段留め具２６０は、上段留め具２１０および下段留め具２２０と同様に、下方に向けて屈曲した鉤を有する。この鉤により、上段留め具２５０は、中受具１６０の下段係止部１６４に引っ掛けられ、複数の下段留め具２６０が、それぞれ、下受具１７０の左係止部１７２および右係止部１７３に引っ掛けられる。これらの鉤は弾性を有し、上段留め具２５０は、下段係止部１６４を前後方向から挟み込み、複数の下段留め具２６０が、それぞれ、左係止部１７２および右係止部１７３を前後方向から挟み込む。これにより、下前面板２４０が、各受具を介してフレームユニット１００に係止され、下前面板２４０の前後方向における変位が抑制される。
【００４９】
図４に表したように、下前面板２４０の背面には、ねじ受部２７０がさらに設けられる。ねじ受部２７０は、左右方向において複数設けられ、それぞれが上段留め具２５０の上方に位置する。図５（ｂ）に表したように、下前面板２４０をフレームユニット１００に係止させた状態において、ねじ受部２７０は、上下方向において、連結部１６３と支持部１６５との間に位置する。
【００５０】
ねじ受部２７０には、孔２７０ａが設けられ、この孔２７０ａの内壁面にはねじ溝が形成されている。ねじ２７５は、このねじ溝と嵌め合わされて孔２７０ａに挿通される。また、ねじ２７５は、支持部１６５と接触する。下前面板２４０は、ねじ２７５およびねじ受部２７０を介して、支持部１６５によって支持される。
【００５１】
ねじ２７５を回転させることで、支持部１６５に対するねじ受部２７０の高さを調整することができる。すなわち、ねじ２７５を回転させることで、フレームユニット１００に対する下前面板２４０の上下方向における位置を調整することができる。
【００５２】
上前面板２００は、例えば、下前面板２４０の上に載置される。この場合、下前面板２４０の高さを調整することで、上前面板２００の高さも調整される。または、上前面板２００の上段留め具２１０近傍に、ねじ受部が設けられていても良い。このねじ受部にねじを挿通し、上受具１５０に接触させることで、上前面板２００の高さ調整を、下前面板２４０とは別に行うことができる。
【００５３】
連結部１６３には、間隙Ｇが形成されている。図４および図５（ｂ）に表した例では、間隙Ｇは、連結部１６３に形成された開口である。間隙Ｇは、固定部１６１の一部と上段係止部１６２の一部との間に位置する。連結部１６３は、固定部１６１の他の一部と上段係止部１６２の他の一部とを連結している。この間隙Ｇは、図５（ｂ）に表したように、ねじ受部２７０の孔２７０ａおよびねじ２７５の直上に位置する。
【００５４】
下前面板２４０の上段留め具２５０および下段留め具２６０は、中受具１６０および下受具１７０に引っ掛けられた際に、これらの受具の前面と接触する。これにより、下前面板２４０に前方から荷重が加えられた際に、下前面板２４０が中受具１６０および下受具１７０によって後方から支持され、下前面板２４０の撓みが抑制される。
【００５５】
同様に、上前面板２００について、上段留め具２１０および下段留め具２２０は、上受具１５０および中受具１６０に引っ掛けられた際に、これらの受具の係止部の前面と接触する。これにより、上前面板２００に前方から荷重が加えられた際に、上前面板２００が上受具１５０および中受具１６０によって後方から支持され、上前面板２００の撓みが抑制される。
【００５６】
このとき、上前面板２００は、さらに、固定具１１９の前端によって後方から支持される。この点について、図６を参照して説明する。
【００５７】
図６は、実施形態に係るケーシングの一部を表す側面図である。
図６に表したように、固定具１１９は、上横フレーム１１１および背面フレーム１１５と固定される。固定具１１９の前端１１９ａは、上横フレーム１１１よりも前方に突出している。前端１１９ａは、例えば、鉛直方向に沿うように、上方または下方に向けて屈曲している。上前面板２００が後方に向けて押されて変形した際、上前面板２００は、前端１１９ａと接触し、固定具１１９によって後方から支持される。
【００５８】
なお、上前面板２００が後方に向けて押されていない状態において、上前面板２００は前端１１９ａと接触していても良いし、上前面板２００と前端１１９ａとの間に間隙が設けられていても良い。
【００５９】
図７は、実施形態に係るケーシングの一部を表す正面図である。
図７に表したように、フレームユニット１００には、上被覆部材１３１、下被覆部材１３３、左被覆部材１３５、および右被覆部材１３７が設けられる。
【００６０】
上被覆部材１３１は、連結フレーム１０９の前面および上面に設けられる。上被覆部材１３１の一部は、連結フレーム１０９と甲板２８０との間に位置し、上被覆部材１３１の他の一部は、上前面板２００と連結フレーム１０９との間に位置する。上前面板２００と甲板２８０の隙間は、上被覆部材１３１によって後方から被覆される。
【００６１】
下被覆部材１３３は、下受具１７０の前面下部に設けられ、上前面板２００および下前面板２４０よりも後方に位置する。下被覆部材１３３の少なくとも一部は、下受具１７０および下前面板２４０よりも下方に設けられる。下被覆部材１３３は、下前面板２４０と床面との隙間を後方から被覆する。
【００６２】
左被覆部材１３５は、左縦バー１０５の前面に設けられ、上前面板２００および下前面板２４０よりも後方に位置する。左被覆部材１３５の少なくとも一部は、左縦バー１０５、上前面板２００、および下前面板２４０よりも左側方に設けられる。
【００６３】
右被覆部材１３７は、右縦バー１０７の前面に設けられ、上前面板２００および下前面板２４０よりも後方に位置する。右被覆部材１３７の少なくとも一部は、右縦バー１０７、上前面板２００、および下前面板２４０よりも右側方に設けられる。
【００６４】
ケーシング１は、例えば、トイレブースまたはトイレ室などの仕切られた空間内に設置される。左被覆部材１３５および右被覆部材１３７は、ケーシング１の側方に位置する壁と、上前面板２００および下前面板２４０と、の隙間を、後方から被覆する。
【００６５】
図８および図９は、実施形態に係るケーシングの一部を表す斜視図である。
図８に表したように、左縦バー１０５の上端および下端には、それぞれ、孔１０５ａ（第１孔の一例）および孔１０５ｂが設けられている。孔１０５ａおよび孔１０５ｂは、左右方向における寸法が、上下方向における寸法よりも長い。
【００６６】
左縦バー１０５と連結フレーム１０９は、ねじ１０６ａおよびねじ１０６ｂを締結することで固定される。孔１０５ａにおけるねじ１０６ａの位置および孔１０５ｂにおけるねじ１０６ｂの位置を調整することで、連結フレーム１０９に対する左縦バー１０５の左右方向における位置を調整できる。
【００６７】
同様に、図９に表したように、右縦バー１０７の上端および下端には、それぞれ、孔１０７ａ（第１孔の他の一例）および孔１０７ｂが設けられている。孔１０７ａおよび孔１０７ｂは、左右方向における寸法が、上下方向における寸法よりも長い。
【００６８】
右縦バー１０７と連結フレーム１０９は、ねじ１０８ａおよびねじ１０８ｂを締結することで固定される。孔１０７ａにおけるねじ１０８ａの位置および孔１０７ｂにおけるねじ１０８ｂの位置を調整することで、連結フレーム１０９に対する右縦バー１０７の左右方向における位置を調整できる。
【００６９】
ここで、本実施形態の効果について説明する。
本実施形態に係るケーシング１では、下前面板２４０をフレームユニット１の前面に係止させた後、下前面板２４０のねじ受部２７０に挿通されたねじ２７５によって、フレームユニット１に対する下前面板２４０の高さを調整することができる。このとき、ねじ２７５の上方に十分な空間があると、ドライバーでねじ２７５を容易に回すことができ、下前面板２４０の高さ調整を行う際の作業効率を向上させることができる。
【００７０】
本実施形態に係るケーシング１では、下前面板２４０の高さ調整の作業効率向上のために、連結部１６３に間隙Ｇが設けられている。間隙Ｇが設けられていない場合、作業者は、下前面板２４０を下段係止部１６４に係止させた後、下前面板２４０と上段係止部１６２との隙間からドライバーを差し込み、ねじ２７５を回す必要がある。この場合、ねじ２７５に対してドライバーが斜め上方から差し込まれる。従って、ねじ２７５が回し難く、かつねじ２７５が視認し難くいため、作業効率が低下する。
【００７１】
連結部１６３に間隙Ｇが設けられていることで、下前面板２４０を下段係止部１６４に係止させた後でも、ねじ２７５の上方から間隙Ｇを通してドライバーを差し込み、下前面板２４０の高さ調整を行うことが可能となる。このため、本実施形態によれば、下前面板２４０の高さ調整の作業効率を向上させることが可能である。
【００７２】
また、上前面板２００は、上段留め具２１０および下段留め具２２０を有する。そして、上段留め具２１０および下段留め具２２０は、それぞれ、上受具１５０の係止部１５２および中受具１６０の上段係止部１６２を前後方向から挟み込む。これにより、フレームユニット１００に対する上前面板２００の前後方向における位置が固定され、上前面板２００の前後方向における変位を抑制することができる。
【００７３】
同様に、下前面板２４０は、上段留め具２５０および下段留め具２６０を有する。上段留め具２５０は、中受具１６０の下段係止部１６４を前後方向から挟み込む。複数の下段留め具２６０は、それぞれ、下受具１７０の左係止部１７２および右係止部１７３を前後方向から挟み込む。これにより、フレームユニット１００に対する下前面板２４０の前後方向における位置が固定され、下前面板２４０の前後方向における変位を抑止することができる。
【００７４】
なお、ねじ受部２７０、ねじ２７５、および支持部１６５を介して下前面板２４０を支持する中受具１６０は、左縦フレーム１０１および右縦フレーム１０３以外に固定されても良いが、左縦フレーム１０１および右縦フレーム１０３の少なくともいずれかの縦フレームに固定されることが望ましい。フレームユニット１００に上前面板２００および下前面板２４０が係止されると、中受具１６０には、下方に向けた荷重が加えられる。中受具１６０が縦フレームに固定されることで、中受具１６０から縦フレームに加えられる荷重の方向と、床面から縦フレームに加わる反力の方向と、を一致させ、フレームユニット１００に伝わる荷重を、効率的に支持することが可能となる。この結果、上前面板２００および下前面板２４０の荷重によるフレームユニット１００の撓み等を抑制することができる。
【００７５】
トイレ装置に使用者が座った際に、使用者が上前面板２００に背をもたせる場合がある。この場合、上前面板２００には、後方に向けて大きな荷重が加えられる。実施形態に係るケーシング１では、上前面板２００の後方において、固定具１１９の前端１１９ａが上横フレーム１１１よりも前方に突出している。このため、上前面板２００が後方に向けて押された場合、上前面板２００は、上受具１５０および中受具１６０に加えて、固定具１１９によって後方から支持される。これらの複数の点で上前面板２００を支持することで、上前面板２００が押された際の、上前面板２００の撓みを抑制することができる。
【００７６】
また、固定具１１９の前端１１９ａは、上受具１５０よりも下方に位置し、中受具１６０よりも上方に位置する。この構成によれば、上前面板２００が後方に向けて押された場合、上前面板２００に加わる荷重を上下方向に分散して支持できるため、上前面板２００の撓みを効果的に抑制することができる。
【００７７】
さらに、固定具１１９の前端１１９ａは、複数の上受具１５０の１つおよび複数の中受具１６０の１つよりも右側方に位置し、複数の上受具１５０の他の１つおよび複数の中受具１６０の他の１つよりも左側方に位置する。この構成によれば、上前面板２００が後方に向けて押された場合、上前面板２００に加わる荷重を左右方向に分散して支持できるため、上前面板２００の撓みを効果的に抑制することができる。
【００７８】
また、上述した構成によれば、上前面板２００が後方に向けて押された際に、固定具１１９には特に大きな荷重が加わる。しかし、固定具１１９は、壁面に固定される背面フレーム１１５と固定される。このため、固定具１１９に大きな荷重が加えられた場合でも、その荷重がフレームユニット１００後方の壁面によって効率的に支持される。このため、大きな荷重が固定具１１９に加えられた場合でも、固定具１１９の変位を抑制することができる。
【００７９】
また、衛生器具としてのフラッシュバルブやロータンクなどを固定する固定具１１９が、上前面板２００を支持する部材としても機能することで、ケーシング１の部材の数を減らすことが可能である。
【００８０】
図７に表したように、左縦バー１０５の前面には、左被覆部材１３５が設けられる。左被覆部材１３５を設けることで、上前面板２００および下前面板２４０と、フレームユニット１の左側方の壁面と、の隙間を被覆することができる。この隙間を被覆することで、当該隙間に埃や汚れが溜まり難くなり清掃性が向上する。
【００８１】
図８に表したように、左縦バー１０５の上端および下端には、それぞれ、孔１０５ａおよび孔１０５ｂが設けられていることが望ましい。これらの横長の孔が設けられることで、連結フレーム１０９および下受具１７０に対する左縦バー１０５の左右方向における位置を調整することができる。従って、左被覆部材１３５の位置を、上前面板２００および下前面板２４０と、壁面と、の隙間に応じて調整することができる。例えば、左被覆部材１３５の左側端を壁面に当接させて押し付けるように左被覆部材１３５を左縦バー１０５に取り付けることで、左被覆部材１３５をより安定させて固定でき、取り付け後の左被覆部材１３５の位置の変化を抑制することができる。
【００８２】
同様に、右縦バー１０７の前面に右被覆部材１３７が設けられることで、上前面板２００および下前面板２４０と、フレームユニット１の右側方の壁面と、の隙間を被覆することができる。この結果、フレームユニット１の清掃性を向上させることができる。また、図９に表したように、右縦バー１０７の上端および下端に、それぞれ、孔１０７ａおよび孔１０７ｂが設けられることで、右被覆部材１３７の位置を調整することができ、右被覆部材１３７をより安定させて固定することができる。
【００８３】
孔１０５ａおよび孔１０５ｂについては、少なくとも一方が設けられていれば、左縦バー１０５の位置調整を行うことができる。孔１０５ａおよび孔１０５ｂの両方が設けられることで、位置調整を行った左縦バー１０５を、より強固に固定することが可能となる。
【００８４】
同様に、孔１０７ａおよび孔１０７ｂについても、少なくとも一方が設けられていれば、右縦バー１０７の位置調整を行うことができる。孔１０７ａおよび孔１０７ｂの両方が設けられることで、位置調整を行った右縦バー１０７を、より強固に固定することが可能となる。
【００８５】
図１０は、実施形態に係るケーシングの中受具の変形例を表す斜視図である。
図１０に表した中受具１６０は、上段係止部１６２および連結部１６３のそれぞれの一部を切り欠くことで、連結部１６３に間隙Ｇが形成されている。このように、間隙Ｇの形態は、図３および図４に限らず、適宜変更することができる。
【００８６】
ただし、図４および図５（ｂ）に表したように、間隙Ｇが開口である場合、左右方向において間隙Ｇが形成された位置にも、上段係止部１６２を設けることができる。この場合、上段係止部１６２に係止された下段留め具２２０と、ねじ受部２７０と、下段係止部１６４に係止された上段留め具２５０と、を上下方向に並べて設けることができる。
【００８７】
図１０に表した中受具１６０の場合、左右方向において間隙Ｇが形成された位置には下段留め具２２０を係止させることができない。一方で、間隙Ｇを通してねじ２７５を回すためには、ねじ受部２７０は、間隙Ｇの下方に位置することが望ましい。従って、上段係止部１６２に係止された下段留め具２２０の左右方向における位置と、上段留め具２５０およびねじ受部２７０の左右方向における位置と、をずらす必要がある。
【００８８】
図４および図５（ｂ）に表したように、下段留め具２２０と、ねじ受部２７０と、上段留め具２５０と、を上下方向に並べて設けることができると、上前面板２００および下前面板２４０を係止させる際に、これらの前面板の左右方向における位置合わせが容易となる。従って、間隙Ｇは、連結部１６３に設けられた開口であることがより望ましい。
【００８９】
図１１は、実施形態に係る他のケーシングを表す斜視図である。
図１１に表したケーシング２では、フレームユニット１００の前面に、上前面板２００および下前面板２４０以外の、他の前面板２９０が係止される。前面板２９０は、例えば、上前面板２００および下前面板２４０の左側方または右側方に設けられる。
【００９０】
前面板２９０の背面には、上前面板２００および下前面板２４０と同様に、複数の留め具が設けられる。左縦フレーム１０１の上受具１５０および下受具１７０には、上前面板２００の留め具および前面板２９０の留め具が引っ掛けられる。
【００９１】
上受具１５０の幅は、図１に表したように、左縦フレーム１０１または右縦フレーム１０３の幅よりも広い。これにより、上受具１５０に、複数の留め具を係止することが可能となる。また、下受具１７０の幅は、左縦フレーム１０１と右縦フレーム１０３との距離よりも広い。これにより、下受具１７０の左縦フレーム１０１または右縦フレーム１０３近傍において、複数の留め具を係止することが可能となる。
【００９２】
図１１に表した例では、前面板２９０には、トイレ装置の使用者のための手すり３３０が取り付けられる。このように、ケーシング１が備える前面板の数は、ケーシング１に付設される設備の具体的構成に応じて適宜変更可能である。
【００９３】
例えば、フレームユニット１００の前面には、３つの前面板が係止されても良い。この場合、中段の前面板の下部と下段の前面板の上部とを係止し、下段の前面板の高さを調整するために、中受具１６０、ねじ受部２７０、およびねじ２７５を用いることができる。
【００９４】
また、ケーシング１のフレームユニット１００の構成も、図１および図２などに表される構成に限定されず、適宜変更することが可能である。図１に表した例では、左右方向において、２つの縦フレームが設けられているが、１つまたは３つ以上の縦フレームが設けられていても良い。縦フレームの数に応じて、左右方向において、１つまたは３つ以上の上受具１５０および中受具１６０が設けられていても良い。
【００９５】
実施形態に係るケーシング１には、例えば図３に表したように、トイレ装置３００が付設されるが、他の水周り機器が付設されても良い。例えば、実施形態に係るケーシング１には、小便器や手洗い器などが付設され、ケーシング１の内側には、これらの水周り機器に接続される配管等が設けられても良い。
【００９６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、フレームユニット１００、上前面板２００、下前面板２４０、甲板２８０などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００９７】
１ ケーシング、  １００ フレームユニット、  １０１ 左縦フレーム、  １０３ 右縦フレーム、  １０５ 左縦バー、  １０７ 右縦バー、  １０９ 連結フレーム、  １１１ 上横フレーム、  １１３ 下横フレーム、  １１５ 背面フレーム、  １１７ 支持フレーム、  １１９ 固定部材、  １１９ａ 前端、  １２１ ブラケット、  １２３ 吊紐、  １２５ 固定フレーム、  １５０ 上受具、  １５１ 固定部、  １５２ 係止部、  １６０ 中受具、  １６１ 固定部、  １６２ 上段係止部、  １６３ 連結部、  １６４ 下段係止部、  １６５ 支持部、  １７０ 下受具、  １７１ 固定部、  １７２ 左係止部、  １７３ 右係止部、  ２００ 上前面板、  ２１０ 上段留め具、  ２２０ 下段留め具、  ２４０ 下前面板、  ２５０ 上段留め具、  ２６０ 下段留め具、  ２７０ ねじ受部、  ２８０ 甲板、  ３００ トイレ装置、  ３０１ 便器、  ３２０ 衛生器具、  Ｐ 配管
【図１】
2019015021.tif 000003
【図２】
2019015021.tif 000004
【図３】
2019015021.tif 000005
【図４】
2019015021.tif 000006
【図５】
2019015021.tif 000007
【図６】
2019015021.tif 000008
【図７】
2019015021.tif 000009
【図８】
2019015021.tif 000010
【図９】
2019015021.tif 000011
【図１０】
2019015021.tif 000012
【図１１】
2019015021.tif 000013